(57)【要約】【課題】  本発明は、ラベル全体を商品から剥がさなくても収納物を容易に取り出すことができる収納ラベルを提供することを課題とする。【解決手段】  重ね合わせた上下２層のフィルム２，３の周縁部を接着することにより、２層のフィルム２，３間に周縁接着部４が形成され、且つ周縁接着部４で囲われる領域内に収納部５が形成された本体６と、下層のフィルム３の裏面に設けられた粘着部と、を備え、下層のフィルム３に、収納部５が形成された領域に於いて本体６の一側部寄りに、開封用切れ目８が形成されている収納ラベル。【選択図】      図１
2006309070.tif 000002
【特許請求の範囲】
【請求項１】
重ね合わせた上下２層のフィルムの周縁部を接着することにより、前記２層のフィルム間に周縁接着部が形成され、且つ前記周縁接着部で囲われる領域内に収納部が形成された本体と、下層のフィルムの裏面に設けられた粘着部と、を備え、
前記下層のフィルムには、収納部が形成された領域に於いて本体の一側部寄りに、開封用切れ目が形成されていることを特徴とする収納ラベル。
【請求項２】
前記開封用切れ目が、前記周縁接着部の内縁と収納部に収納される収納物の外縁の間に沿って形成されている請求項１記載の収納ラベル。
【請求項３】
前記下層のフィルムの裏面のうち前記開封用切れ目よりも外側に、弱粘着部又は部分的な非接着部が設けられている請求項１又は２記載の収納ラベル。
【発明の詳細な説明】
【技術分野】
【０００１】
本発明は、周縁部が接着された２枚のフィルムの間に説明書などを収納し、粘着剤を介して商品に貼付できる収納ラベルに関する。
【背景技術】
【０００２】
従来、薬品能書、取扱説明書、商品説明書、懸賞応募説明書などの各種説明書、保証書などの各種証明書類、小冊子、各種カード類、付録などの扁平状の収納物を商品に添付するため、図１０に示すような収納ラベルが知られている。
この収納ラベル１００は、上下２層のフィルム１０１，１０２の周縁部を接着することにより、２層のフィルム間に周縁接着部が形成され、且つ周縁接着部で囲われる領域内に収納部１０３が形成された本体１０４と、下層のフィルム１０２の裏面に設けられた粘着部１０５と、を備え、本体１０４の一側縁に略Ｖ字状の開封用切込部１０６が形成された構成からなる。
かかる収納ラベル１００は、その収納部１０３に収納物１０７を収納し、粘着部１０５を介して下層のフィルム１０２を商品にベタ状に貼付して使用される。
【０００３】
上記収納ラベル１００に入れられた収納物１０７は、切込部１０６を起点にして本体１０４を切断して周縁接着部の一側部を除去し、収納部１０３を開封することによって取り出すことができる。
しかしながら、上記収納ラベル１００は、下層のフィルム１０２が商品にベタ状に貼付されているので、貼付された状態のまま、切込部１０６から本体１０４の一部分を切除することは困難である。
この点、収納ラベル１００を商品から引き剥がせば、収納物１０７の取り出しは簡単に行える。
しかしながら、収納物１０７を取り出すために、収納ラベル１００を商品から引き剥がすことは面倒であり、場合によっては商品の貼付面まで剥ぎ取られることもある。
また、周縁接着部の一側部を除去し、収納物１０７を取り出した後、収納ラベル１００に収納物１０７を再び収納しても、収納ラベル１００は一側部が開口状態となっているため、収納物１０７が不用意に抜け出る虞がある。さらに、収納ラベル１００を切断する際、切断線上に収納物１０７が存在すると、該収納物１０７が破れる虞がある。
加えて、収納ラベル１００全体を一旦剥離すると、収納物１０７を収納ラベル１００に再び収納し、元の通り収納ラベル１００を商品に再貼付することは困難である。
【発明の開示】
【発明が解決しようとする課題】
【０００４】
そこで、本発明は、ラベル全体を商品から剥がさなくても収納物を容易に取り出すことができる収納ラベルを提供することを課題とする。
【課題を解決するための手段】
【０００５】
上記課題を解決するための第１の手段として、本発明は、重ね合わせた上下２層のフィルムの周縁部を接着することにより、前記２層のフィルム間に周縁接着部が形成され、且つ周縁接着部で囲われる領域内に収納部が形成された本体と、下層のフィルムの裏面に設けられた粘着部と、を備え、下層のフィルムには、収納部が形成された領域に於いて本体の一側部寄りに、開封用切れ目が形成されている収納ラベルを提供する。
【０００６】
上記収納ラベルは、収納部内に収納物を収納し、下層のフィルムの裏面に設けられた粘着部を介して商品に貼付される。
かかる収納ラベルは、下層のフィルムのうち、収納部が形成された領域に於いて本体の一側部寄りに開封用切れ目が形成されているので、本体の一側部を捲り上げることにより、下層のフィルムは、開封用切れ目を境に分割され、その外側領域は、上層のフィルムと共に捲れ上がり、一方、その内側領域は、商品に貼付された状態のままとなる。このように下層のフィルムが開封用切れ目に於いて開封するので、ラベル全体を商品から剥がさなくても、その開口部から収納物を取り出すことができる。
【０００７】
さらに、本発明の好ましい態様では、上記開封用切れ目が、周縁接着部の内縁と収納部に収納される収納物の外縁の間に沿って形成されている上記収納ラベルを提供する。かかる収納ラベルは、本体の一側部を捲り上げる際に、収納物が引掛かることなく、収納物を傷付けることなく下層のフィルムを確実に開封することができるので好ましい態様である。
【０００８】
また、本発明の好ましい態様では、上記下層のフィルムの裏面のうち開封用切れ目よりも外側に、弱粘着部又は部分的な非接着部が設けられている上記収納ラベルを提供する。かかる収納ラベルは、開封用切れ目よりも外側に、弱粘着部又は部分的な非接着部が設けられているので、簡単に本体の一側部を捲り上げることができるので好ましい態様である。
【発明の効果】
【０００９】
本発明の収納ラベルは、全体を商品から剥がさなくても収納物を簡単に取り出すことができる。また、一旦取り出した収納物を収納部に再び入れて元通りに収納し直すことも可能である。
また、本発明の収納ラベルは、その好ましい態様により、収納物を傷つけずに取り出すことができ、又、本体の一側部を容易に捲り上げて収納物を簡単に取り出すことができる。
【発明を実施するための最良の形態】
【００１０】
以下、本発明について、図面を参照しつつ具体的に説明する。
図１（ａ）は、収納ラベルの平面図を、図１（ｂ）は、同底面図を示し、周縁接着部を判りやすくするため、便宜上、周縁接着部を網掛け部分で示している。また、図２は、図１（ｂ）と同様に底面図を示しているが、粘着部が設けられた範囲を判り易く表すため、便宜上、粘着部を薄墨塗りで示している。
図１〜図３に於いて、１は、上下２層のフィルム２，３の周縁部を接着することにより、内部に収納物を収納可能な収納部５が形成されている本体６と、この本体６の裏面に設けられた粘着部７と、を備える収納ラベルを示し、この収納ラベル１の収納部５内には収納物１０が収納されている。
この収納ラベル１は、図４に示すように、粘着部７を介して、長尺状の離型紙１２の上に所定間隔をあけて複数仮貼付されており、該複数の収納ラベル１と離型紙１２によって収納ラベル連続体１４が構成されている。
【００１１】
上下２層のフィルム２，３は、特に限定されず、例えば、合成樹脂製フィルム、紙、合成紙、不織布、合成樹脂フィルムと紙の積層体などの積層フィルムなど、公知のフィルムを使用することができる。上下のフィルム２，３は、同一又は同種のものでも良いし、又は異なる材質でもよい。
さらに、収納部５に収納された収納物１０を透視するため、少なくとも上層のフィルム２は、透明又は半透明の合成樹脂製フィルムを用いることが好ましい。
また、上下２層のフィルム２，３の周縁部を熱シールにて接着できることから、上下２層のフィルム２，３は、互いに熱溶着可能なフィルムを用いることが好ましい。例えば、上下２層のフィルム２，３の少なくとも一方が、重ね合わせ面に熱溶着可能なシーラント面を有するフィルムで構成されていることにより、両フィルム２，３を熱シールすることができる。
【００１２】
重ね合わされた上下２層のフィルム２，３は、その周縁部が全体（但し、形成される収納部５内の空気を逃がすため、一部分を非接着とすることでエアー抜き用の小さな通路が確保されている）に亘って所定幅接着されることにより周縁接着部４が形成され、この周縁接着部４で囲われる領域の内側に収納部５が形成されている。
周縁部の接着方法は、接着剤などを用いて接着してもよいが、製造容易なことから、熱シールにて接着することが好ましい。
収納部５の形状は、収納物１０の形状などに応じて適宜設定され、本実施形態では、本体６及び収納部５ともに、平面視矩形状に形成されている。
尚、収納物１０としては、薬品能書、取扱説明書、商品説明書、懸賞応募説明書などの各種説明書、保証書などの各種証明書類、小冊子、各種カード類、コイン状物品、付録などの扁平状の収納物が挙げられる。もっとも、収納部５には、このような扁平状の収納物１０に限られず、ある程度嵩高い収納物１０を収納することもできる。
【００１３】
さらに、下層のフィルム３には、収納部５が形成された領域であって本体６の一側部寄り（開封開始側）に、開封用切れ目８が形成されている。
具体的には、開封用切れ目８は、周縁接着部４の内縁と収納物１０の外縁の間に形成されている。この開封用切れ目８は、収納物１０の一側領域（例えば、収納物１０の１／５〜１／２程度の面積）を囲うように形成されていることが好ましい。収納部５が矩形状に形成されている本実施形態に於いては、開封用切れ目８は略コ字状に形成されている。
開封用切れ目８は、下層のフィルム３の表面から裏面にまで貫通する切断線にて構成されている。但し、開封用切れ目８は、比較的長い切断線の所々に比較的短い非切断部が断続的に形成された態様（一部に非切断部が残された態様）でも構わない。
また、開封用切れ目８の両端部８ａは、切止め加工として、その切断線が円弧状に形成されている。
【００１４】
下層のフィルム３の裏面には、粘着剤を塗布することにより、粘着層７ａが設けられている。この粘着層７ａの裏面のうち、開封用切れ目８の少なくとも外側領域に、部分的に非接着処理が施されている。
該粘着剤は、商品に収納ラベル１を貼付できるものが用いられ、好ましくは商品の貼付面を傷つけずに剥離可能であると共に剥離後再貼付可能な粘着剤を用いることが好ましい。
非接着処理は、粘着剤の粘着力を隠蔽できれば特に限定されず、例えば、紫外線硬化型インキなどを塗工することにより設けられている。また、紫外線硬化型インキを塗布するなどの印刷による非接着処理に代えて、例えば、合成樹脂製フィルムなどのシート材を積層接着してもよい。
よって、下層のフィルム３の裏面のうち、粘着層７ａの裏面の露出した部分が、粘着部７となり、非接着処理された部分が、非接着部９となっている。
本実施形態では、図２に示すように、非接着部９は、本体６の一側部の縁に沿って帯状に設けられていると共に、この一側部に繋がる本体６の両側辺部にそれぞれ２箇所設けられている。
【００１５】
上記構成からなる収納ラベル１及び収納ラベル連続体１４は、例えば、下記のようにして製造できる。
裏面全体に粘着剤が塗布され、この粘着剤塗布面が長尺状の離型紙１２の上に仮貼付されている下層フィルム原反（下層のフィルムが連続的に繋がった長尺状のフィルム）から、離型紙１２を剥がして粘着層７ａを露出させ、該粘着層７ａの裏面の所定箇所に紫外線硬化型インキを塗工して非接着部９を形成した後、離型紙１２に再度仮貼付する。そして、この下層フィルム原反の表面から所定間隔をあけて開封用切れ目８を刻設する。
次に、この下層のフィルム原反の表面上に、所定間隔をあけて収納物１０を載置すると共に、その上から上層フィルム原反を重ね合わせ、個々の収納物１０を被包するように上下２層のフィルム原反を熱シールすることにより、周縁接着部４を形成する。最後に、周縁接着部４の外縁にて上下のフィルム原反を切断し、収納ラベル１以外の上下のフィルム原反（不要となった抜き滓フィルム）を取り除く。これにより、内部に一の収納物１０を有する収納ラベル１が、長尺状の離型紙１２の上に所定間隔をあけて並べて仮貼付された収納ラベル連続体１４を得ることができる。
この各収納ラベル１は、離型紙１２の長手方向に同じ向きにして並べられている（例えば、図４（ｂ）に示すように、全ての各収納ラベル１の一側部が右側に向いて並べられるなど）。
【００１６】
かかる収納ラベル連続体１４は、ロール状に巻き取られ、収納ラベル１を個々に商品に貼付するためラベリング装置（図示せず）に装填される。該装置に装填された収納ラベル連続体１４は、収納ラベル１を商品に貼付する際、図５に示すように、開封用切れ目８が形成されていない収納ラベル１の他側部６ａ側（一側部６ｂに対向する側）から引き出され、ラベリング装置の略Ｖ字状の離型紙剥離部１５に於いて離型紙１２のみ反転回収される。これにより、収納ラベル１は、その他側部６ａの端から捲り取られ、図６（ａ）に示すように、粘着部７を介して商品の外箱１１などに連続的に貼付される。
【００１７】
上記収納ラベル１の貼付方法は、収納ラベル連続体１４を収納ラベル１の他側部６ａ側（一側部６ｂに対向する側）から引き出すため、収納ラベル１を捲りながら連続的に貼付する際、下層のフィルム３が開封用切れ目８を境に外側領域と内側領域に分かれ、折れ曲がることを防止できる。
従って、かかる収納ラベル１の貼付方法によれば、収納ラベル１の貼付不良を極めて少なくすることができる。
【００１８】
次に、商品１１の外箱の平坦面に貼付された収納ラベル１の使用例は下記の通りである。
使用者が、この収納ラベル１に収納された収納物１０を取り出す際には、同図（ｂ）に示すように、本体６をその一側部から捲り上げることにより、開封用切れ目８の外側領域が、商品１１の貼付面から剥離する一方、開封用切れ目８の内側領域に於ける下層のフィルム３は、商品１１の貼付面から剥離しない。
このように本体６の一側部から本体６を剥離すると、開封用切れ目８を境界にして、下層のフィルム３の外側領域は、上層のフィルム２と共に剥離され、下層のフィルム３の内側領域は、商品１１に貼着した状態となるので、上層のフィルム２を破ることなく、収納部５を開封することができる。
【００１９】
そして、収納ラベル１を開封し収納物１０を取り出した後、該収納物１０を収納部５内に入れ直し、本体６の一側部を閉じ、開封用切れ目８の外側領域の裏面を商品１１の貼付面に貼付することにより、収納物１０を収納ラベル１内に元通りに再封することができる。
本発明の収納ラベル１によれば、ラベル全体を商品１１から剥がさなくても収納物１０を簡単に取り出すことができ、その後、収納ラベル１に収納物１０を再封することができる。
このように上記収納ラベル１は、収納物１０を再収納し且つ必要に応じて何度も取り出すことができるので、取扱説明書などのように保管の必要な収納物１０を商品１１に貼付するのに特に好適に使用できる。
【００２０】
また、上記収納ラベル１は、本体６の一側部の縁に非接着部９が設けられているので、収納物１０を取り出すため本体６を捲り剥がす際、この本体６の一側部の縁を剥離起点とすることができる。加えて、この一側部に繋がる本体６の両側辺部にも部分的に非接着部９が設けられているので、この両側辺部に於ける商品への粘着強度が弱く、従って、本体６の一側部を容易に剥離することができる。
さらに、開封用切れ目８は、周縁接着部４の内縁と収納物１０の外縁の間に形成されているので、本体６の一側部を捲り剥がす際に、収納物１０が引掛かる虞がなく、下層のフィルム３を開封用切れ目８から確実に開封することができる。
また、開封用切れ目８は、収納物１０の一側領域を囲うように形成されているので、本体６の一側部を捲り上げると、収納物１０の一側部が露出する。従って、収納物１０の出し入れを容易に行うことができる。
【００２１】
次に、本発明の変形例を示す。以下、主として上記実施形態と異なる構成及び作用効果について説明し、同様の構成などについては、その説明を省略し、図番を援用することがある。
上記実施形態では、非接着部９を設ける手段として、粘着層７ａを設け且つ所定範囲に非接着処理を施すものを例示したが、かかる構成に限られず、例えば、下層のフィルム３の裏面のうち、粘着部７を設ける範囲にのみ粘着剤を塗工してもよい。この場合、非接着部９は、粘着剤が塗工されていない範囲、すなわち、下層のフィルム３の裏面露出部分で構成される。
【００２２】
また、上記実施形態では、開封用切れ目８の少なくとも外側に部分的な非接着部９が設けられているが、該非接着部９に代えて又は併用して、開封用切れ目８の少なくとも外側に弱粘着部を設けることもできる。弱粘着部とは、粘着部７よりも粘着力が弱くなるように調整された部分である。このような弱粘着部は、例えば、粘着剤を塗工した粘着層７ａの裏面に紫外線硬化型インキなどを非常に薄く塗工したり、或いは、該インキなどを微細な網目状に印刷するなどの手段などが例示される。この弱粘着部は、開封用切れ目８の少なくとも外側領域全体に設けられていてもよいし、該領域に部分的に設けられていてもよい。このように弱粘着部を設けても、上記と同様に、弱粘着部の設けられた本体部分を商品から容易に剥離することができる。
【００２３】
さらに、上記実施形態では、非接着部９は、本体６の一側部の縁と、一側部に繋がる本体６の両側辺部とに設けられているが、例えば、図７（ａ）に示すように、開封用切れ目８の外側直近に非接着部９ａが帯状に設けられていてもよい。かかる構成の場合、本体６の一側部は、本体６の一側部の縁に設けられた非接着部９ｂと開封用切れ目８の外側直近に設けられた非接着部９ａの間に挟まれて存在する接着部７ｂによって、商品に接着する。このように開封用切れ目８の外側直近に非接着部９ａを設けることにより、本体６の一側部を捲った際に、開封用切れ目８を境界にして、下層のフィルム３の内側領域を、商品１１に確実に貼着した状態とすることができる。特に、開封用切れ目８として、一部に非切断部が残された切断線が用いられている場合には、このように非接着部９を構成することは好ましい態様である。
【００２４】
さらに、上記実施形態では、開封用切れ目８は、切断線（又は一部に非切断部が残された切断線）からなるが、例えば、図８（ａ）に示すように、収納物１０の一側辺よりも長く形成された略直線状の切断線８ａと、この切断線８ａの両端部から収納物１０の両側辺部に沿って伸びるミシン目８ｂと、から開封用切れ目８が構成されていてもよい。この構成の場合、本体６の一側部を捲り上げた際、切断線８ａの両端部からミシン目８ｂに沿って下層のフィルム３が切れ、上記と同様に収納物１０の一側部を露出させることができる。
かかるミシン目８ｂが併用された開封用切れ目８を形成する場合、上記と同様に開封用切れ目８の外側直近に非接着部９ａを設けることが好ましく、特に、図８（ａ）に示すように、この非接着部９ａが、切断線８ａの両端部からミシン目８ｂの一部（切断線８ａとミシン目８ｂの接続部）に於ける外側直近に設けられていることが好ましい。
尚、該ミシン目８ａに代えて又は併用して、上記ミシン目８ａの形成部分に、ハーフカット線（例えば、断面Ｖ字状のＶノッチなど）を形成してもよい。
【００２５】
また、上記実施形態では、開封用切れ目８は、収納物１０の一側部を囲うように略コ字状に形成されているが、開封用切れ目８の形状はこれに限られず、例えば、図８（ｂ）に示すように、収納物１０の一側辺よりも長く形成された略直線状の切断線から形成されていてもよい。この構成の場合、本体６の一側部を捲り上げた際に、収納物１０の一側部は確実に露出しないが、収納物１０を出し入れすることは可能である。また、下層のフィルム３としてラベルの剥離方向（例えば、図８（ｂ）に示すＸ方向）と平行に引裂性のあるフィルムを用いれば、本体６の一側部を捲り上げた際、図８（ｂ）に示すような開封用切れ目８であってもその両端部から下層のフィルム３が切れるので、収納物１０の一側部を露出させることもできる。
尚、上記各実施形態では、開封用切れ目８は、周縁接着部４の内縁と収納部５に収納される収納物１０の外縁の間に沿って形成されているが、例えば、開封用切れ目８は、収納物１０の外縁よりも少し内側に（開封用切れ目８が、収納物１０に重なるように）形成されていてもよい。
【００２６】
また、上記実施形態では、本体６及び収納部５が矩形状の収納ラベル１を例示しているが、本発明の収納ラベル１は矩形状に限られず、例えば、図９（ａ）、（ｂ）に示すように、略三角形状、略円形などに形成されていてもよい。また、開封用切れ目８は、周縁接着部４の内縁に沿って形成されているものに限られず、図９（ｃ）に示すように、周縁接着部４の内縁と異なる形状に設けられていてもよい。
【図面の簡単な説明】
【００２７】
【図１】（ａ）は、収納ラベルの一実施形態を示す平面図、（ｂ）は、同底面図。但し、網掛けは、周縁接着部が設けられた範囲を示す。
【図２】同底面図。但し、薄墨塗りは、粘着部が設けられた範囲を示す。
【図３】（ａ）は、図１のＡ−Ａ線端面図、（ｂ）は、同Ｂ−Ｂ線端面図。
【図４】（ａ）は、収納ラベル連続体の一実施形態を示す一部省略側面図、（ｂ）は、同一部省略平面図。但し、網掛けは、周縁接着部が設けられた範囲を示す。
【図５】収納ラベル連続体から離型紙を取り除く状態を示す一部省略側面図。
【図６】（ａ）、（ｂ）共に、収納ラベルの使用状態を示す斜視図。但し、薄墨塗りは、粘着部が設けられた範囲を示す。
【図７】（ａ）は、収納ラベルの他の実施形態を示す底面図（但し、薄墨塗りは、粘着部が設けられた範囲を示す）、（ｂ）は、同Ｃ−Ｃ線端面図。
【図８】（ａ）、（ｂ）共に、収納ラベルの他の実施形態を示す底面図。但し、薄墨塗りは、粘着部が設けられた範囲を示す。
【図９】（ａ）〜（ｃ）共に、収納ラベルの使用状態を示す底面図。但し、薄墨塗りは、粘着部が設けられた範囲を示し、網掛けは、周縁接着部が設けられた範囲を示す。
【図１０】（ａ）は、従来の収納ラベルを示す平面図、（ｂ）は、同Ｄ−Ｄ線端面図。
【符号の説明】
【００２８】
１…収納ラベル、２…上層のフィルム、３…下層のフィルム、４…周縁接着部、５…収納部、６…本体、７…粘着部、７ａ…粘着層、８…開封用切れ目、９…非接着部、１０…収納物、１２…離型紙、１４…収納ラベル連続体
【図１】
2006309070.tif 000003
【図２】
2006309070.tif 000004
【図３】
2006309070.tif 000005
【図４】
2006309070.tif 000006
【図５】
2006309070.tif 000007
【図６】
2006309070.tif 000008
【図７】
2006309070.tif 000009
【図８】
2006309070.tif 000010
【図９】
2006309070.tif 000011
【図１０】
2006309070.tif 000012